(57)【要約】【課題】鉄筋の最短安全接続長度を確実に目視できる鉄筋接続器を得る。【解決手段】本考案は内側にネジ山を有し、外側に締め付け部１１を有するスリーブ１０と；左側鉄筋４０を連接することができる左側ナット２０と；右側鉄筋５０を連接することができる右側ナット３０とから成る鉄筋接続器であって、該鉄筋接続器は前記スリーブ１０の外側には少なくても細長い安全検査穴１２が設けられ、前記左側鉄筋４０及び右側鉄筋５０を接続する時、その最短安全接続長度を目視することができるように形成されている鉄筋接続器を提供するものである。【選択図】　図２
0003099015.tif 000002
【実用新案登録請求の範囲】
【請求項１】
内側にネジ山を有し、外側に締め付け部を有するスリーブと；左側鉄筋を連接することができる左側ナットと；右側鉄筋を連接することができる右側ナットとから成る鉄筋接続器であって、該鉄筋接続器は前記スリーブの外側には少なくても細長い安全検査穴が設けられ、前記左側鉄筋及び右側鉄筋を接続する時、その最短安全接続長度を目視することができるように形成されていることを特徴とする鉄筋接続器。
【考案の詳細な説明】
【０００１】
【考案の属する技術分野】
本考案は、建築用鉄筋接続器に関し、特に、左右の鉄筋を接続する時、その最短安全長度を目視することができる鉄筋接続器に関する。
【０００２】
【従来の技術】
従来の此種鉄筋接続器を図５及び図６に従って説明する。従来の鉄筋接続器はスリーブ１と、左側ナット２及び右側ナット３とから成る。
【０００３】
前記左側ナット２は左側鉄筋７を連接することができ、前記右側ナット３は右側鉄筋８を連接することができるように形成されている。前記スリーブ１の内部にはネジ山４が設けられていて、その外側には締め付け部５が設けられている。又、前記締め付け部５には注入口６が設けられている。
【０００４】
前記左側鉄筋７と前記右側鉄筋を接続する時、先ず、前記左側ナット２を前記左側鉄筋７にねじ込み、次いで前記左側鉄筋７を前記スリーブ１のネジ山４にねじ込んで連接し、左側鉄筋７とスリーブ１を必要な長度に至るまで調整する。最後に左側ナット２をスリーブ１の方向に転動して、前記スリーブ１と前記鉄筋７及び前記左側ナット２が一体になるまで締め付けて固定する。而して、右側鉄筋８を接続する時、その接続順序は前述と同様で、最終的には前記スリーブ１、前記右側ナット３と前記右側鉄筋８を一体になるまで締め付けて固定する。斯くすることによって前記左側鉄筋７と前記右側鉄筋８の接続を完成するのである。
【０００５】
前記接続完了後、施工者は注入口６よりセメントを注入し、前記スリーブ１が前記左側鉄筋７と前記右側鉄筋８を接続した後の空隙を補填する。よって、前記スリーブ１の強度を向上させることができて、前記スリーブ１が力を受けた時、不慮破裂することを免れることができる。
【０００６】
斯かる鉄筋接続器を使用することは建築工程に於いては十分重要である。一定の規格を具有している鉄筋は建築時、ビルの建築高度が鉄筋の長度を超過する場合、若し、以前の重ね継手法を使用して接続すると、ビルの構造強度を低下することになる。而して、鉄筋接続器を使用したならば、二本の鉄筋を確実に連接することができ、且つ、ビルの構造強度を低下することがなく、完全に上述の問題を解決することができる。
【０００７】
然し乍ら、従来の鉄筋接続器は前記スリーブ１と前記左側鉄筋７及び前記右側鉄筋８を接続する時、目視でもってその最短接続長度を検視することができない。故に、必ず測定によって安全な接続長度を計測した後、前記スリーブ１の組合せを行わなければならない。即ち、施工者は更に施工順序を加えなければならない。よって、施工時間が長くなり、労力と施工時間の浪費を来すと云う欠陥がある。
【０００８】
【考案が解決しようとする課題】
本考案は上記欠陥に鑑み、明確に鉄筋の最短安全接続長度を目視することができて、労力及び時間の浪費を省くことができる鉄筋接続器を得ることを目的とする。
【０００９】
【課題を解決するための手段】
本考案は上記目的を達成するために提案されたものであり、内側にネジ山を有し、外側に締め付け部を有するスリーブと；左側鉄筋を連接することができる左側ナットと；右側鉄筋を連接することができる右側ナットとから成る鉄筋接続器であって、該鉄筋接続器は前記スリーブの外側には少なくても細長い安全検査穴が設けられ、前記左側鉄筋及び右側鉄筋を接続する時、その最短安全接続長度を目視することができるように形成されていることを特徴とする鉄筋接続器を提供するものである。
【００１０】
【考案の実施の形態】
以下、本考案の一実施の形態を図１乃至図４に従って詳述する。図に示す如く、本考案の鉄筋接続器は内側にネジ山１３が設置されていて、外側に締め付け部１１が設けられているスリーブ１０と、左側鉄筋４０を連接することができる左側ナット２０と、右側鉄筋５０を連接することができる右側ナット３０とから成る。而して、前記左側鉄筋４０と前記右側鉄筋５０を接続する時、先ず、前記左側鉄筋４０と前記右側鉄筋５０をそれぞれ前記左側ナット２０と前記右側ナット３０に通し、その後、前記スリーブ１０の前記ネジ山１３に合わせて前記左側鉄筋４０と前記右側鉄筋５０を必要な長度に至るまでねじ込み、最後に前記左側ナット２０と前記右側ナット３０を前記スリーブ１０の方向に転動し、前記スリーブ１０、前記左側ナット２０、前記右側ナット３０、前記左側鉄筋４０及び前記右側鉄筋５０が一体になるまで転動して締め付けて固定する。斯くして、前記左側鉄筋４０と前記右側鉄筋５０の接続を完成する。
【００１１】
本考案の特徴は前記締め付け部１１に任意数の細長い安全検査穴１２が設けられている点にある。前記スリーブ１０が前記左側鉄筋４０と前記右側鉄筋５０を接続した後、前記安全検査穴１２によってその最短安全接続長度の接続状況を目視することができる。よって、計測器等を用いて最短安全接続長度を定め、之を基準として接続する必要がなく、施工時間を省くことができる上、労力及びコストを減少することができる。
【００１２】
上述の如く、前記左側鉄筋４０と前記右側鉄筋５０の接続は、施工者が前記安全検査穴１２を利用してその最短安全接続長度を検視することができるので、効果的に労力の消費を減少することができて、施工時間及びコストを節減することができる。
【００１３】
尚、本考案は、本考案の精神を逸脱しない限り種々の改変を為すことができ、そして、本考案が該改変されたものに及ぶことは当然である。
【００１４】
【考案の効果】
本考案の鉄筋接続器は、目視によって明確に鉄筋接続時の最短安全接続長度を確認することができるので、接続時の施工時間及び労力並びにコストを節減することができる等、正に著大なる効果を奏する考案である。
【図面の簡単な説明】
【図１】本考案の一実施の形態を示し、鉄筋接続器の正面図。
【図２】図１に示す鉄筋接続器。
【図３】図１の縦断面図。
【図４】図１の一部切欠正面図。
【図５】従来の鉄筋接続器の正面図。
【図６】図５の鉄筋接続器の一部切欠正面図。
【符号の説明】
１０　　　　スリーブ
１１　　　　締め付け部
１２　　　　安全検査穴
１３　　　　ネジ山
２０　　　　左側ナット
３０　　　　右側ナット
４０　　　　左側鉄筋
５０　　　　右側鉄筋
【図１】
0003099015.tif 000003
【図２】
0003099015.tif 000004
【図３】
0003099015.tif 000005
【図４】
0003099015.tif 000006
【図５】
0003099015.tif 000007
【図６】
0003099015.tif 000008